(57)【要約】【課題】何れの側からも使用することができる販売データ処理装置を提供する。【解決手段】販売データ処理装置は、筐体と、第１表示部と、第２表示部と、読取部とを備える。前記第１表示部は、前記筐体の上面に設けられ、当該筐体の第１側面方向に表示画面が向けられる。前記第２表示部は、前記筐体の上面に設けられ、前記第１側面方向と逆向きの前記筐体の第２側面方向に表示画面が向けられる。前記読取部は、前記第１側面方向および前記第２側面方向に直交する前記筐体の第３側面側に設けられ、販売登録の対象となる商品から当該商品を識別可能な識別情報を読み取る。【選択図】図１
2018045318.tif 000002
【特許請求の範囲】
【請求項１】
筐体と、
前記筐体の上面に設けられ、当該筐体の第１側面方向に表示画面が向けられた第１表示部と、
前記筐体の上面に設けられ、前記第１側面方向と逆向きの前記筐体の第２側面方向に表示画面が向けられた第２表示部と、
前記第１側面方向および前記第２側面方向に直交する前記筐体の第３側面側に設けられ、販売登録の対象となる商品から当該商品を識別可能な識別情報を読み取る読取部と、
を備える販売データ処理装置。
【請求項２】
前記読取部が読み取った前記識別情報に対応する商品の販売登録に係る操作画面を、前記第１表示部及び前記第２表示部の何れか一方に切り替えて表示する制御部を更に備える、
請求項１に記載の販売データ処理装置。
【請求項３】
前記第２側面方向の前記筐体に袋をかける袋かけ部を更に備える、
請求項１又は２に記載の販売データ処理装置。
【請求項４】
前記第１側面方向および前記第２側面方向に直交する方向に、一取引に係る取引明細が印字された用紙を排出する印字部を更に備え、
前記読取部は、前記印字部の上部に設置される、
請求項１乃至３の何れか一項に記載の販売データ処理装置。
【請求項５】
前記第１側面方向および前記第２側面方向に直交する方向に、一取引に係る決済に用いられる情報を読み取る面を向けられた決済部を更に備え、
前記決済部は、前記第１表示部と、前記第２表示部との間隙に設置される、
請求項１乃至４の何れか一項に記載の販売データ処理装置。
【発明の詳細な説明】
【技術分野】
【０００１】
本発明の実施形態は、販売データ処理装置に関する。
【背景技術】
【０００２】
従来、小売店の店舗では、商品の売上登録などにＰＯＳ（Point  Of  Sales）端末が使用されている。そして、近年、スーパーマーケット等の店舗において、顧客自身がオペレータとなって商品の販売データ処理を行うセルフＰＯＳ端末が使用されている。
【０００３】
コンビニエンスストア等の小規模な店舗においても、店員は、商品の販売データ処理のみならず、品出しや清掃等の様々な業務を行う必要がある。そこで、小規模な店舗においても、セルフＰＯＳ端末の導入が望まれている。しかし、小規模な店舗にＰＯＳ端末とセルフＰＯＳ端末との両方を設置することは困難である。従来、このような場合には、店員が使用する場合には店員側に向け、顧客側が使用する場合には顧客に向けるＰＯＳ端末が使用されていた。しかしながら、ＰＯＳ端末を使用する者によって、ＰＯＳ端末の向きをその都度変えるのでは煩雑である。
【発明の概要】
【発明が解決しようとする課題】
【０００４】
本発明が解決しようとする課題は、何れの側からも使用することができる販売データ処理装置を提供することである。
【課題を解決するための手段】
【０００５】
実施形態の販売データ処理装置は、筐体と、第１表示部と、第２表示部と、読取部とを備える。前記第１表示部は、前記筐体の上面に設けられ、当該筐体の第１側面方向に表示画面が向けられる。前記第２表示部は、前記筐体の上面に設けられ、前記第１側面方向と逆向きの前記筐体の第２側面方向に表示画面が向けられる。前記読取部は、前記第１側面方向および前記第２側面方向に直交する前記筐体の第３側面側に設けられ、販売登録の対象となる商品から当該商品を識別可能な識別情報を読み取る。
【図面の簡単な説明】
【０００６】
【図１】図１は、実施形態に係るＰＯＳ端末の外観を店員側から見た斜視図である。
【図２】図２は、実施形態に係るＰＯＳ端末の外観を顧客側から見た斜視図である。
【図３】図３は、ＰＯＳ端末のハードウェア構成の一例を示すブロック図である。
【図４】図４は、ＰＯＳ端末が備える特徴的な機能構成を示すブロック図である。
【図５】図５は、モード変更処理の一例を示すフローチャート図である。
【発明を実施するための形態】
【０００７】
以下、添付図面を参照して、販売データ処理装置の実施形態を詳細に説明する。なお、以下に説明する実施形態は、販売データ処理装置の一実施形態であって、その構成や仕様等を限定するものではない。実施形態の販売データ処理装置は、コンビニエンスストア等の店舗に導入された、一取引にかかる商品の登録・精算を顧客が行うＰＯＳ（Point  Of  Sales）端末への適用例である。
【０００８】
図１は、実施形態に係るＰＯＳ端末１の外観を店員側から見た斜視図である。図２は、実施形態に係るＰＯＳ端末１の外観を顧客側から見た斜視図である。ＰＯＳ端末１は、第１表示部１１と、第２表示部１２と、非接触カードリーダライタ１３と、筐体１４と、カードリーダライタ１５とを備える。
【０００９】
ＰＯＳ端末１は、カウンタ台２に載置される。カウンタ台２は、買い物籠や商品等が置かれる台である。店員が、ＰＯＳ端末１を操作する場合には、カウンタ台２を挟んで顧客と向かい合う。
【００１０】
筐体１４は、カウンタ台２に設置される。筐体１４は、略箱形の形状を有する。筐体１４は、第１側面１４１と、第２側面１４２と、第３側面１４３と、第４側面１４４と、上面１４５と、を備える。第１側面１４１は、カウンタ台２の店員側であるＸ方向に向けられた側面であり、本実施形態の正面に対応する。第２側面１４２は、第１側面１４１とは反対方向の顧客側に向けられた側面であり、本実施形態の背面に対応する。すなわち、第２側面１４２は、第１側面１４１に対向する側面である。第３側面１４３は、第１側面１４１及び第２側面１４２が向けられたＸ方向に直交する両側面のうちの何れか一方である。第４側面１４４は、第３側面１４３に対向する側面である。第４側面１４４は、第１側面１４１及び第２側面１４２が向けられたＸ方向に直交する両側面のうちの他方である。上面１４５は、第１表示部１１、第２表示部１２及び非接触カードリーダライタ１３を備える。
【００１１】
第１表示部１１は、例えば液晶ディスプレイ等である。第１表示部１１は、カウンタ台２において店員がいる方向に画面を向けて設置されている。すなわち、第１表示部１１は、筐体１４の上面１４５に設けられ、筐体１４の第１側面方向に表示画面が向けられている。ここで、第１側面方向は、第１側面１４１が向けられたＸ方向のことである。係る第１表示部１１は、売上登録された商品の商品情報等を店員等に表示する。
【００１２】
また、第１表示部１１は、ＰＯＳ端末１を操作する第１タッチパネル１１１を備える。第１タッチパネル１１１は、第１表示部１１上の操作（タッチ）された箇所を検知して、第１表示部１１が表示している表示要素に応じた操作が入力されたものとして判断する。これにより、第１タッチパネル１１１は、第１表示部１１が表示したキーが操作されたとしてキーの操作を受け付ける。
【００１３】
第２表示部１２は、例えば液晶ディスプレイ等である。第２表示部１２は、カウンタ台２において顧客がいる方向に画面を向けて設定されている。すなわち、第２表示部１２は、筐体１４の上面１４５に第１表示部１１と背中合わせで設けられ、第１側面方向と逆向きの第２側面方向に表示画面が向けられている。ここで、第２側面方向は、第１側面１４１が向けられたＸ方向とは逆向きの筐体１４の第２側面１４２が向けられた方向のことである。係る第２表示部１２は、売上登録された商品の商品情報等を顧客等に表示する。
【００１４】
また、第２表示部１２は、ＰＯＳ端末１を操作する第２タッチパネル１２１を備える。第２タッチパネル１２１は、第２表示部１２上の操作（タッチ）された箇所を検知して、第２表示部１２が表示している表示要素に応じた操作が入力されたものとして判断する。これにより、第２タッチパネル１２１は、第２表示部１２が表示したキーが操作されたとしてキーの操作を受け付ける。
【００１５】
第１表示部１１および第２表示部１２は、それぞれ店員や顧客等に向けて各種画像を表示させるため、画面方向を店員や顧客等が見やすい角度に調整することができる。すなわち、第１表示部１１および第２表示部１２の画面方向は、第１側面１４１および第２側面１４２と平行であってもよいし、第１側面１４１および第２側面１４２と平行でなくてもよい。
【００１６】
非接触カードリーダライタ１３は、第１表示部１１および第２表示部１２の背面の間隙であって筐体１４の上面１４５に配置されている。非接触カードリーダライタ１３は、ＮＦＣ（Near  Field  Communication）などの近距離無線通信により、非接触ＩＣ（Integrated  Circuit）カードのＩＣに対して、情報の書き込み及び読み込みを実行する。ここで、非接触ＩＣカードは、例えば、電子決済サービスに用いられるカードである。すなわち、非接触カードリーダライタ１３は、一取引に係る決済に用いられる情報を読み取り及び読み込みを実行する決済部である。
【００１７】
非接触カードリーダライタ１３は、第１側面方向および第２側面方向に直交する、筐体１４の第３側面１４３が向けられた方向（図中Ｙ方向）に、かざされた非接触ＩＣカードの情報を読み取る面を向けている。非接触カードリーダライタ１３は、筐体１４の上部にある第１表示部１１と第２表示部１２との間隙に設置される。従って、非接触カードリーダライタ１３がカウンタ台２に設置されない為、より狭い場所にＰＯＳ端末１を設置することができる。なお、非接触カードリーダライタ１３は、非接触ＩＣカードに限らず、ＩＣを備える携帯端末に対して、情報の書き込み及び読み込みを実行してもよい。
【００１８】
筐体１４は、第１側面方向および第２側面方向に直交する第３側面１４３の側に、光透過性の読取窓１４６と、レシート排出口１４７とを備える。すなわち、読取窓１４６及びレシート排出口１４７は、第１表示部１１および第２表示部１２が向けられた方向に対し、直交する方向に向けられている。
【００１９】
また、第４側面１４４は、弧状に形成されている。しかし、第４側面１４４の形状は弧状に限らず、第３側面１４３と同様の垂直な壁面としてもよい。
【００２０】
また、筐体１４は、第２側面１４２の上方に、略水平方向に向けられた第１棒部１４８及び第２棒部１４９を備える。第１棒部１４８及び第２棒部１４９は、顧客等が購入した商品等を入れる袋を掛けるための袋かけ部である。顧客は、第１棒部１４８及び第２棒部１４９が設けられているため、購入した商品等を両手で容易に袋に入れることができる。なお、第１棒部１４８及び第２棒部１４９は、第２側面１４２に限らず、第１側面１４１や第４側面１４４に備えられていてもよい。
【００２１】
また、筐体１４は、その内部にスキャナ１０４と、プリンタ１０５とを備える（図３参照）。
【００２２】
スキャナ１０４は、第３側面１４３の読取窓１４６の内部に設けられ、販売登録の対象となる商品から商品を識別可能な識別情報である商品コード等を読み取る読取部である。具体的には、スキャナ１０４は、読取窓１４６介して筐体１４の外部にレーザ光を照射する。また、スキャナ１０４は、商品に付された商品コード等で反射されたレーザ光の反射光を、読取窓１４６介して受光する。そして、スキャナ１０４は、受光した反射光に基づき商品コード等を読み取る。すなわち、スキャナ１０４は、読取窓１４６の前に翳された商品から商品コードを読み取る。なお、スキャナ１０４は、商品の画像を撮像し、撮像した画像から商品コード等を読み取るものであってもよい。
【００２３】
ここで、スキャナ１０４は、第３側面１４３の上方に設置することが好ましい。さらには、スキャナ１０４は、第１棒部１４８及び第２棒部１４９と同等の高さに設置することがより好ましい。これにより、店員や顧客が、スキャナ１０４に商品の商品コードを読み取らせるために、買い物籠から取り出した商品をスキャナ１０４の位置まで下げる作業を防止することができる。
【００２４】
プリンタ１０５は、一取引に係る取引明細が用紙に印字されたレシートを発行する印字部である。取引明細には、商品名や価格や購入した商品等の合計金額等が含まれる。レシート排出口１４７は、プリンタ１０５が発行したレシートを排出する。すなわち、プリンタ１０５は、筐体１４の第３側面１４３が向けられた方向（図中Ｙ方向）にレシートを排出する。
【００２５】
カードリーダライタ１５は、カウンタ台２に設置される。カードリーダライタ１５は、クレジットカード等の決済に用いるカードの記憶媒体が記憶する情報の読み取り及び書き込みを実行する装置である。カードリーダライタ１５は、カード挿入口１５１に挿入されたカードの記憶媒体に記憶された情報の読み取り及び書き込みを実行する。カードリーダライタ１５は、一連の処理が完了した場合に、カード挿入口１５１に挿入されたカードを排出する。
【００２６】
上述した構成のＰＯＳ端末１において、非接触カードリーダライタ１３、スキャナ１０４およびプリンタ１０５は、ＰＯＳ端末１の上下方向（図中Ｚ方向）に並べて設置されている。従って、筐体１４は、鉛直方向に並べて設置させることにより設置面積を狭くすることができる。
【００２７】
なお、図１および図２では、非接触カードリーダライタ１３を筐体１４の上面１４５に設置する構成としたが、これに限らず、筐体１４の上部や下部、筐体１４の内部に設置する構成としてもよい。この場合においても、非接触カードリーダライタ１３は、他の装置（スキャナ１０４およびプリンタ１０５）と上下方向に並べて設置することが好ましい。
【００２８】
また、図１および図２では、カードリーダライタ１５を、筐体１４の店員側（第１側面１４１側）に設置する構成としたが、これに限らず、筐体１４の顧客側（第２側面１４２側）や上部や下部、筐体１４の内部に設置する構成としてもよい。この場合においても、カードリーダライタ１５は、他の装置（非接触カードリーダライタ１３、スキャナ１０４およびプリンタ１０５）と上下方向（図中Ｚ方向）に並べて設置することが好ましい。
【００２９】
また、図１および図２では、ＰＯＳ端末１の上方から非接触カードリーダライタ１３、スキャナ１０４、プリンタ１０５の順に並べた構成としたが、これに限らず、各装置を並べる順番は任意に変えることができる。
【００３０】
次に、本実施形態に係るＰＯＳ端末１のハードウェア構成について説明する。
【００３１】
図３は、ＰＯＳ端末１のハードウェア構成の一例を示すブロック図である。ＰＯＳ端末１は、制御部１０１、記憶部１０２、通信インタフェース１０３、第１表示部１１、第１タッチパネル１１１、第２表示部１２、第２タッチパネル１２１、非接触カードリーダライタ１３、スキャナ１０４、プリンタ１０５、及びカードリーダライタ１５を備える。制御部１０１、記憶部１０２、通信インタフェース１０３、第１表示部１１、第１タッチパネル１１１、第２表示部１２、第２タッチパネル１２１、非接触カードリーダライタ１３、スキャナ１０４、プリンタ１０５、及びカードリーダライタ１５は、システムバス１０６を介して相互に接続している。
【００３２】
制御部１０１は、ＰＯＳ端末１の全体の動作を制御し、ＰＯＳ端末１が備える各種の機能を実現する。制御部１０１は、ＣＰＵ（Central  Processing  Unit）と、ＲＯＭ（Read  Only  Memory）と、ＲＡＭ（Random  Access  Memory）とを備える。ＣＰＵは、ＰＯＳ端末１の動作を統括的に制御する。ＲＯＭは、各種プログラムやデータを記憶する記憶媒体である。ＲＡＭは、各種プログラムを一時的に記憶したり、各種データを書き換えたりする記憶媒体である。そして、ＣＰＵは、ＲＡＭをワークエリア（作業領域）としてＲＯＭ又は記憶部１０２等に格納された制御プログラム１０７等を実行する。
【００３３】
記憶部１０２は、ＨＤＤ（Hard  Disk  Drive）やＳＳＤ（Solid  State  Drive）等の不揮発性の記憶装置である。記憶部１０２は、制御プログラム１０７を記憶する。制御プログラム１０７は、オペレーティングシステムや、ＰＯＳ端末１が備えている機能を発揮させるためのプログラムである。制御プログラム１０７には、本実施形態に係る特徴的な機能を発揮させるプログラムが含まれる。
【００３４】
通信インタフェース１０３は、ネットワークを介して、各種装置と通信するためのインタフェースである。
【００３５】
次に、ＰＯＳ端末１が備える特徴的な機能について説明する。ここで、図４は、ＰＯＳ端末１が備える特徴的な機能構成を示すブロック図である。
【００３６】
ＰＯＳ端末１の制御部１０１は、記憶部１０２に記憶された制御プログラム１０７をＲＡＭに展開し、制御プログラム１０７に従って動作することで、図４に示す各機能部をＲＡＭに生成する。具体的には、ＰＯＳ端末１の制御部１０１は、機能部として、売上登録部１００１と、会計処理部１００２と、操作制御部１００３と、表示制御部１００４と、モード制御部１００５とを備える。
【００３７】
売上登録部１００１は、販売対象の商品を登録する売上登録処理を制御する。すなわち、売上登録部１００１は、スキャナ１０４が受け付けた商品コードの商品を売上登録する。また、売上登録部１００１は、一取引に係る売上登録した商品の代金の合計金額を算出する。
【００３８】
会計処理部１００２は、非接触カードリーダライタ１３及びカードリーダライタ１５と協働で、販売対象の商品の会計処理を実行する。ここで、会計処理とは、例えば、一取引において商品等の代金を電子決済サービス等により支払う処理である。
【００３９】
操作制御部１００３は、第１タッチパネル１１１及び第２タッチパネル１２１を制御して、各種操作を受け付ける。なお、操作制御部１００３は、第１タッチパネル１１１及び第２タッチパネル１２１に限らず、ＰＯＳ端末１に備えられたハードウェアボタン等から各種操作を受け付けてもよい。
【００４０】
表示制御部１００４は、第１表示部１１及び第２表示部１２を制御して、各種画面を表示させる。
【００４１】
モード制御部１００５は、ＰＯＳ端末１を操作する操作者に応じたモードの変更を制御する。すなわち、モード制御部１００５は、ＰＯＳ端末１を操作する各種操作画面を表示させる表示部を切り替える設定を制御する。モードには、操作者が店員である店員モードと、操作者が顧客である顧客モードとがある。
【００４２】
店員モードは、売上登録処理および会計処理を店員が行う設定である。すなわち、表示制御部１００４は、店員モードの場合には、売上登録処理において売上登録画面を第１表示部１１に表示させる。さらに、表示制御部１００４は、店員モードの場合には、会計処理において会計画面を第１表示部１１に表示させる。売上登録画面は、スキャナ１０４が読み取った商品コードの商品を販売登録する売上登録処理を操作する操作画面である。会計画面は、スキャナ１０４が読み取った商品コードの商品の会計を操作する操作画面である。また、操作制御部１００３は、店員モードの場合には、第１タッチパネル１１１から売上登録処理および会計処理の操作を受け付ける。
【００４３】
顧客モードは、売上登録処理および会計処理を顧客が行う設定である。すなわち、表示制御部１００４は、顧客モードの場合には、売上登録画面および会計画面を第２表示部１２に表示させる。なお、表示制御部１００４は、顧客は売上登録処理および会計処理の操作が不慣れであるため、店員モードと同じ売上登録画面および会計画面を第２表示部１２に表示させなくてもよい。さらに詳しくは、表示制御部１００４は、売上登録画面および会計画面において詳細な操作方法等を加えた画面を表示させてもよい。また、表示制御部１００４は、意図しない操作が入力されてしまうことを防止するために、売上登録画面および会計画面の一部を変えた画面を表示させてもよい。また、操作制御部１００３は、顧客モードの場合には、第２タッチパネル１２１から売上登録処理および会計処理の操作を受け付ける。
【００４４】
モード制御部１００５は、店員モード時において、顧客モードに変更する操作を操作制御部１００３が受け付けた場合に、顧客モードに設定を変更する。すなわち、モード制御部１００５は、各種操作画面を、第１表示部１１に表示させる設定から第２表示部１２に表示させる設定に変更する。また、モード制御部１００５は、顧客モード時において、店員モードに変更する操作を操作制御部１００３が受け付けた場合に、店員モードに設定を変更する。すなわち、モード制御部１００５は、各種操作画面を、第２表示部１２に表示させる設定から第１表示部１１に表示させる設定に変更する。ここで、モードを変更する操作は、例えば店員側に向けられた第１表示部１１に表示されたモードを変更するモード変更ボタンを押下する操作等である。また、モード変更ボタンは、店員モードと顧客モードとに関わらず、第１表示部１１に表示されることが好ましい。
【００４５】
次に、ＰＯＳ端末１が実行するモード変更処理について説明する。ここで、図５は、実施形態のＰＯＳ端末１が実行するモード変更処理の一例を示すフローチャート図である。
【００４６】
ＰＯＳ端末１のモード制御部１００５は、店員モードに設定する（ステップＳ１）。
【００４７】
次いで、ＰＯＳ端末１の操作制御部１００３は、モードを変更する操作を受け付けたか否かを判定する（ステップＳ２）。モードを変更する操作を受け付けていないことを条件に（ステップＳ２；Ｎｏ）、ＰＯＳ端末１は、モードを変更する操作を受け付けるまで待機する。
【００４８】
一方、モードを変更する操作を受け付けたことを条件に（ステップＳ２；Ｙｅｓ）、ＰＯＳ端末１のモード制御部１００５は、顧客モードに設定する（ステップＳ３）。
【００４９】
次いで、ＰＯＳ端末１の操作制御部１００３は、モードを変更する操作を受け付けたか否かを判定する（ステップＳ４）。モードを変更する操作を受け付けていないことを条件に（ステップＳ４；Ｎｏ）、ＰＯＳ端末１は、モードを変更する操作を受け付けるまで待機する。
【００５０】
一方、モードを変更する操作を受け付けたことを条件に（ステップＳ４；Ｙｅｓ）、ＰＯＳ端末１は、ステップＳ１に移行する。すなわち、ＰＯＳ端末１のモード制御部１００５は、店員モードに設定する。
【００５１】
以上により、ＰＯＳ端末１は、モード変更処理を終了する。
【００５２】
以上のように、本実施形態に係るＰＯＳ端末１によれば、第１表示部１１と第２表示部１２とは、筐体１４の上面１４５に反対方向に向けて設けられている。そして、非接触カードリーダライタ１３と、スキャナ１０４と、プリンタ１０５とは、第１側面１４１および第２側面１４２が向けられた方向に直交する第３側面１４３に設けられている。よって、店員および顧客は、カウンタ台２を挟んで、非接触カードリーダライタ１３と、スキャナ１０４と、プリンタ１０５とを使用することができる。従って、ＰＯＳ端末１は、何れの側からも使用することができる。
【００５３】
また、上記実施形態において、スキャナ１０４およびプリンタ１０５は、筐体１４の第３側面１４３に設けられていると説明した。さらに、非接触カードリーダライタ１３およびカードリーダライタ１５は、筐体１４の第３側面１４３が向けられた方向に向けられていると説明した。しかしながら、スキャナ１０４およびプリンタ１０５は、筐体１４の第４側面１４４に設けられていてもよい。さらに、非接触カードリーダライタ１３およびカードリーダライタ１５は、筐体１４の第４側面１４４が向けられた方向に向けられていてもよい。
【００５４】
また、スキャナ１０４、プリンタ１０５、非接触カードリーダライタ１３およびカードリーダライタ１５は、全部が異なる方向に向けられていてもよい。すなわち、スキャナ１０４、プリンタ１０５、非接触カードリーダライタ１３およびカードリーダライタ１５は、第３側面１４３が向けられた方向と、第４側面１４４が向けられた方向とのそれぞれ異なる方向に向けられていてもよい。
【００５５】
また、スキャナ１０４、プリンタ１０５、非接触カードリーダライタ１３およびカードリーダライタ１５の全部又は一部は、第３側面１４３と第４側面１４４との両側面に設けられていてもよい。
【００５６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５７】
上記実施形態や変形例の各装置で実行されるプログラムは、各装置が備える記憶媒体（ＲＯＭ又は記憶部）に予め組み込んで提供するものとするが、これに限らないものとする。例えば、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮ（Local  Area  Network）やインターネット等により伝達されたプログラムをダウンロードして記憶又は一時記憶した記憶媒体も含まれる。
【００５８】
また、上記実施形態や変形例の各装置で実行されるプログラムをインターネット等のネットワークに接続されたコンピュータ上に格納し、ネットワーク経由でダウンロードさせることにより提供するように構成してもよいし、インターネット等のネットワーク経由で提供又は配布するように構成してもよい。
【符号の説明】
【００５９】
１  ＰＯＳ端末
１１  第１表示部
１２  第２表示部
１３  非接触カードリーダライタ
１４  筐体
１４１  第１側面
１４２  第２側面
１４３  第３側面
１４４  第４側面
１４５  上面
１５  カードリーダライタ
１０１  制御部
１４８  第１棒部
１４９  第２棒部
１０４  スキャナ
１０５  プリンタ
【先行技術文献】
【特許文献】
【００６０】
【特許文献１】特開２０１０−２０３７０号公報
【図１】
2018045318.tif 000003
【図２】
2018045318.tif 000004
【図３】
2018045318.tif 000005
【図４】
2018045318.tif 000006
【図５】
2018045318.tif 000007